【事件の表示】
　特願２０１５−２２５４９７「芳名カード」拒絶査定不服審判事件〔平成２９年　１月１２日出願公開、特開２０１７−　　７３２３〕について、次のとおり審決する。
【結　論】
　本件審判の請求は、成り立たない。
【理　由】
第１　手続の経緯
　本願は、出願日が平成２７年６月１９日である実願２０１５−３１１５号（以下「原出願」という。）を平成２７年１１月１８日に特許出願に変更したものであって、平成２８年６月１日付けで手続補正がなされ、同年８月２日付けで拒絶査定がなされ、これに対し、同年１１月２１日付けで拒絶査定に対する不服審判請求がなされたものである。
第２　本願発明
　本願の請求項１に係る発明は、上記平成２８年６月１日付けの手続補正によって補正された特許請求の範囲の記載からみて、その特許請求の範囲の請求項１に記載された次のとおりのものと認められる。（以下「本願発明」という。）
「【請求項１】
　横長のカード表面に氏名及び住所の記入欄、香典・玉串料及び献花料の記入欄並びに供花の基・対の数の記入欄及び供物の基・対・箱の数の記入欄を備え、カード裏面に故人へのメッセージ欄と遺族へのメッセージ欄を備えており、裏面を内側に中央で２枚折りして重ねて使用し、カード表面及び裏面の四隅部に綴込孔を設けたことを特徴とする芳名カード。」　
第３　引用刊行物　
１　刊行物１
　原査定の拒絶理由で引用された、本願の原出願の出願日前である平成２６年１１月１３日に頒布された刊行物である実用新案登録第３１９４２０６号公報（以下「刊行物１」という。）には、図面と共に次の事項が記載されている。（なお、下線は審決で付した。以下同じ。）　
（１）「【実用新案登録請求の範囲】
【請求項１】
空白だったカード式芳名録裏面に、会葬者が故人への想い・遺族へのお悔やみの言葉を書き込むためのメッセージ欄
【考案の詳細な説明】
【技術分野】
【０００１】
本考案は、会葬者が故人への想い、遺族へのお悔やみの言葉を書き込むため、カードの裏面にメッセージ欄を設けたものである。
【背景技術】
【０００２】
従来の芳名録では会葬者が、故人への想い、遺族へのお悔やみの言葉を書き込む事が出来なかった。
【考案の概要】
【考案が解決しようとする課題】
【０００３】
会葬者が遺族と充分に会話が出来ない慌ただしい葬儀の中で、従来の芳名録では、住所・氏名の項目は書けても、故人への想い、遺族へのお悔やみの言葉を書き込む事が出来ない難点があった。
本考案は、この課題を解決するためになされたものである。
【課題を解決するための手段】
【０００４】
カード式の芳名録の利用されて無かった空白裏面に、会葬者が故人への想い、遺族に対してのお悔やみの言葉を書き込むメッセージ欄を設けた。
【考案の効果】
【０００５】
慌ただしい葬儀の限られた時間内に会葬者は、故人への想い・遺族へのお悔やみの言葉を書き残す事が出来る。
このため葬儀後に遺族は落ち着いて読むことが出来、心が癒される。
【考案を実施するための形態】
【０００６】
芳名録の裏面に、故人への想い・遺族へのお悔やみの言葉を書き込めるように四角で囲んだ枠内に、２段に分けたメッセージ欄を設ける。」
（２）上記（１）及び図１より、
表面に芳名、住所、香典（玉串料・献花料）、供花、供物の記入欄を備えた横長のカード式芳名録
裏面に会葬者が故人への想いの言葉を書き込むためのメッセージ欄及び遺族へのお悔やみの言葉を書き込むためのメッセージ欄
　上記（１）及び（２）から、刊行物１には、次の発明（以下「引用発明１」という。）が記載されているものと認められる。
「表面に芳名、住所、香典（玉串料・献花料）、供花、供物の記入欄を備えた横長のカード式芳名録であって、裏面に、会葬者が故人への想いの言葉を書き込むためのメッセージ欄及び遺族へのお悔やみの言葉を書き込むためのメッセージ欄を設けたカード式芳名録。」
２　刊行物２
　原査定の拒絶理由で引用された、本願の原出願の出願日前である平成１９年６月２８日に頒布された刊行物である実用新案登録第３１３２９９８号公報（以下「刊行物２」という。）には、図面と共に次の事項が記載されている。
（１）「【請求項１】
　
折り曲げ線に沿って二つ折り可能に形成したメッセージカードであって、該メッセージカードの内側面には、メッセージを記入するメッセージ記入欄を設けてあると共に、前記折り曲げ線に対向する端部の一方に接着剤層を設け、該接着剤層を覆って剥離紙を貼付したメッセージカード
（２）「【技術分野】
【０００１】
　本考案は、葬儀や法事のときにメッセージを記入して棺等に入れたり、祈願又は報謝のメッセージを記入して神社、仏閣等に奉納したりすることができるメッセージカードに関する。」
（３）「【考案が解決しようとする課題】
【０００４】
　しかし、従来の葬儀用メッセージカードは、メッセージカードに記入したメッセージの内容が不特定多数の者に視認可能なために、故人のみへ宛てたメッセージを記入し難く、又、故人のプライバシーも損なわれる恐れがあるという課題があった。
【０００５】
　また、祈願又は報謝のメッセージを記入して神社、仏閣等に奉納する絵馬は、祈願した者の氏名等の個人情報と共に願い事を記入して、不特定多数の者に見られ得る状態で吊り下げられるために、秘密性がなく祈願した者のプライバシーが損なわれるという課題があった。
【０００６】
　そこで、本考案は、
故人に宛てた
（４）図３及び図４より、
内側面を内側に中央で２枚折りして重ねて使用する横長のメッセージカード
　上記（１）乃至（４）から、刊行物２には、次の発明（以下「引用発明２」という。）が記載されているものと認められる。
「折り曲げ線に沿って二つ折り可能に形成したメッセージカードであって、該メッセージカードの内側面には、故人に宛てたメッセージを記入するメッセージ記入欄を設けてあると共に、前記折り曲げ線に対向する端部の一方に接着剤層を設け、該接着剤層を覆って剥離紙を貼付し、内側面を内側に中央で２枚折りして重ねて使用する横長のメッセージカード。」
３　刊行物３
　原査定の拒絶理由で引用された、本願の原出願の出願日前である平成６年８月１６日に頒布された刊行物である登録実用新案第３０００７７１号公報（以下「刊行物３」という。）には、図面と共に次の事項が記載されている。
（１）「【請求項１】カード表面に、少なくとも、氏名を記入するための氏名記入欄と、住所又は会社名等の居所を記入するための居所記入欄とを区分けして設けるとともに、これら記入欄を識別する文字を印刷し、また金額を追記するための金額追記欄を設けたことを特徴とする芳名録カード。
…　
【請求項４】綴込孔を設けたことを特徴とする請求項１ないし３のいずれかに記載の芳名録カード。」
（２）「【０００１】
　　【産業上の利用分野】
　本考案は、葬儀や結婚式やパーティー等において、参列者に氏名や住所などを記入してもらうための芳名録カードに関する。」
（３）「【０００４】
　本考案の目的は、従来のこのような問題点に鑑み、葬儀や結婚式やパーティー等において、参列者一人一人に一枚ずつ渡して別々に記入するカード形式とすることにより、参列者に対する受付業務の簡素化及び迅速化が図れるとともに、受付の混雑を解消でき、また式後における各種の事務処理を能率的に行え、特にコンピュータ管理とする場合、式場において即時に必要事項の入力が可能になるとともに、入力ミスの発生も少なくできる芳名録カードを提供することにある。」
（４）図１乃至図５より、カードの表面及び裏面の二隅部に綴込孔を設けた芳名録カードが看取できる。
４　刊行物４
　原査定の拒絶理由で引用された、本願の原出願の出願日前である平成１５年１１月１９日に頒布された刊行物である特開２００３−３２６８７４号公報（以下「刊行物４」という。）には、図面と共に次の事項が記載されている。
（１）「【請求項１】　表面に記名者に関係する関係事項の記入欄を印刷した芳名シートからなり、該芳名シート周縁部に係止孔を設けた芳名録。
【請求項２】　前記関係事項の記入欄は、記名者の住所及び郵便番号欄と、氏名欄と、電話番号欄及び記名者の関係する会社、業界、学校、商店会、官公庁、町会等の組織体の表示欄により形成されていることを特徴とする請求項１に記載の芳名録。」
（２）「【０００１】
【発明の属する技術分野】本発明は、通夜、告別式などの葬儀の式又は結婚式等のために使用する整理が簡便な芳名録に関する。」
（３）「【０００７】本発明はかかる煩雑な葬儀その他の式後の整理作業を簡潔にし、整理が簡便な芳名録を提供することを目的とする。」
（４）図１乃至図３より、周縁部の二隅部に綴込孔を設けた芳名録カードが看取できる。
５　刊行物５
　原査定の拒絶理由で引用された、本願の原出願の出願日前である平成１４年１２月１８日に頒布された刊行物である特開２００２−３６２０６４号公報（以下「刊行物５」という。）には、図面と共に次の事項が記載されている。
（１）「【請求項１】来場者に少なくとも住所氏名を記入してもらうための芳名カードにおいて、
少なくとも受付カード部と引換券部とを切り離し可能に有してなり、
前記受付カード部は、来場者が少なくとも住所氏名を記入するための記入欄を有しかつ当該受付カード部を一意に特定するための識別コードが予め記載されたものであり、
前記引換券部は、前記受付カード部と同一の識別コードが予め記載されたものであって、前記受付カード部へ記入した来場者に切り離されて引き渡され、後に返礼品との引き換えに使用されるものであることを特徴とする芳名カード。」
（２）「【０００１】
【発明の属する技術分野】本発明は、来場者の住所氏名および返礼品の引き渡し状況を管理するための芳名カード、芳名録管理装置、芳名録管理システムおよび芳名録管理方法に関する。」
（３）「【０００５】本発明は、このような従来の技術が有する問題点に着目してなされたもので、葬儀等における当日返しの渡し漏れに対して円滑な対応が可能な芳名カード、芳名録管理装置、芳名録管理システム、芳名録管理方法を提供することを目的としている。」
（４）「【００２６】香典金額を記入した後、受付カード１１０と控えカード１２０とを切り離し、受付カード１１０を順次綴じ込むことで、会葬帳が出来上がる。また控えカード１２０を順次綴じこむことで、データ入力用の入力用原本が出来上がる。」
（５）上記（４）、図１及び図４より、周縁部の二隅部に綴込孔が設けられた芳名カードが看取できる。
第４　対比　
　そこで、本願発明と引用発明とを対比すると、　
　後者の「横長のカード式芳名録」、「表面」、「裏面」、及び「カード式芳名録」は、それぞれ、前者の「横長のカード」、「カード表面」、「カード裏面」、及び「芳名カード」に相当する。
　後者の「芳名」、「住所」、「香典（玉串料・献花料）」、「供花」、及び「供物」は、ぞれぞれ、前者の「氏名」、「住所」、「香典・玉串料及び献花料」、「供花」、及び「供物」に相当し、それぞれの「記入欄」が設けられていることも共通する。
　また、「供花」の「記入欄」には、「供花の基・対の数」を、「供物」の「記入欄」には、「供物の基・対・箱の数」を記入することは、一般社会常識から、明らかである。
　後者の「会葬者が故人への想い・遺族へのお悔やみの言葉」は、前者の「故人へのメッセージと遺族へのメッセージ」に相当するから、後者の「会葬者が故人への想いの言葉を書き込むためのメッセージ欄」、及び「遺族へのお悔やみの言葉を書き込むためのメッセージ欄」は、そぜぞれ、前者の「故人へのメッセージ欄」、及び「遺族へのメッセージ欄」に相当する。
　したがって、両者は、　
「横長のカード表面に氏名及び住所の記入欄、香典・玉串料及び献花料の記入欄並びに供花の基・対の数の記入欄及び供物の基・対・箱の数の記入欄を備え、カード裏面に故人へのメッセージ欄と遺族へのメッセージ欄を備えた芳名カード。」　
の点で一致し、以下の点で相違する。　
［相違点］　
　本願発明が、「裏面を内側に中央で２枚折りして重ねて使用し、カード表面及び裏面の四隅部に綴込孔を設けた」ものであるのに対し、引用発明は、そのようなものでない点。　
第５　判断　
　上記相違点について以下検討する。
　引用発明２の「横長のメッセージカード」、「内側面」、及び「故人に宛てたメッセージを記入するメッセージ記入欄」は、それぞれ、本願発明の「横長のカード（芳名カード）」、「裏面」、及び「故人へのメッセージ記入欄」に相当する。
　引用発明２の「メッセージカード」は、「内側面を内側に中央で２枚折りして重ねて使用する」ものであるから、「裏面を内側に中央で２枚折りして重ねて使用」するといえる。
　そして、引用発明１も引用発明２も、葬儀の際に用いる芳名カードである点で技術分野が共通する。
　引用発明１は、故人へのメッセージ欄を芳名カードの裏面に設けるものであって、故人へのメッセージの秘密性を保持したいという意図は明らかである。そうすると、引用発明１と引用発明２とは、故人へのメッセージの秘密性を保持したいという共通の課題を有するものであるから、引用発明１に、引用発明２を適用することは、当業者が容易に想到し得るものである。
　また、上記刊行物３乃至刊行物５の記載事項から、当該技術分野において、芳名カードの周縁部の二隅部に綴込孔を設けることは周知の技術手段といえる（以下「周知の技術手段」という。）。
　そして、上記周知の技術手段も、葬儀の際に用いる芳名カードである点で引用発明１と、技術分野が共通する。
　また、引用発明１も上記周知の技術手段も、芳名カードを用いることにより、会葬者の整理管理を能率的に行うという点で共通の課題を有するものであるから、引用発明１に、上記周知の技術手段を適用することは、当業者が容易に想到し得るものである。
　ここで、上記引用発明１に、引用発明２を適用するに際し、上記周知の技術手段を踏まえれば、２枚折りして重ねて使用する芳名カードの二隅部に綴込孔を設けると、カードの表面及び裏面の四隅部に綴込孔が設けられることは明らかである。
　したがって、引用発明１において、引用発明２、及び上記周知の技術事項を適用することにより、上記相違点に係る本願発明の発明特定事項とすることは、当業者が容易に想到し得るものである。
　そして、本願発明の発明特定事項によって奏される効果も、引用発明１、引用発明２、及び上記周知の技術事項から、当業者が予測しうる範囲内のものである。
第６　むすび　
　以上のとおりであるから、本願発明は、引用発明１、引用発明２、及び上記周知の技術事項に基づいて、当業者が容易に発明をすることができたものであるから、特許法第２９条第２項の規定により特許を受けることができない。　
よって、結論のとおり審決する。